(57)【特許請求の範囲】
【請求項１】
外部と接続可能な端子が複数設けられた半導体チップがフィルム基材の表面に実装され、上記半導体チップの端子のうち、電気信号を入力する端子と接続される第１の配線、および電気信号を出力する端子と接続される第２の配線が、上記フィルム基材の表面にそれぞれ形成されてなるフィルム実装型のソースドライバにおいて、
上記フィルム基材の両端に、連続した穴と該フィルム基材の表面に金属部とが形成されてなるスプロケット部を有し、
上記第１の配線は、上記半導体チップの端子と接続されない端部が、上記スプロケット部が設けられていない１端側に向かって形成され、かつ、上記第２の配線は、上記半導体チップの端子と接続されない端部が、上記第１の配線の端部が形成されている１端側と対向する１端側に向かって形成されており、
上記半導体チップの端子のうち上記第１の配線および第２の配線に接続されない端子と、上記スプロケット部の金属部とを接続する第３の配線が、上記フィルム基材の表面に形成されていることを特徴とするソースドライバ。
【請求項２】
上記スプロケット部は、上記フィルム基材の表面に積層された、銅またはステンレス鋼からなる放熱体により形成されていることを特徴とする請求項１に記載のソースドライバ。
【請求項３】
上記第３の配線は、上記第１の配線のうち両端の第１の配線と上記第２の配線のうち両端の第２の配線とで挟まれる領域の全面にわたって、上記両端の第１の配線および両端の第２の配線と電気的に絶縁されるように形成されていることを特徴とする請求項１に記載のソースドライバ。
【請求項４】
上記スプロケット部の金属部と上記第３の配線は、一体形成されていることを特徴とする請求項３に記載のソースドライバ。
【請求項５】
上記第１の配線のうち両端の第１の配線は、上記半導体チップの端子に接続される端部側が、上記半導体チップの４側面のうち、上記第１の配線における上記半導体チップの端子と接続されない端部が形成されている側の１側面に垂直に入射する方向に形成されており、
上記第２の配線のうち両端の第２の配線は、上記半導体チップの端子に接続される端部側が、上記半導体チップの４側面のうち、上記１側面に隣接する２側面にそれぞれ垂直に入射する方向に形成されていることを特徴とする請求項３に記載のソースドライバ。
【請求項６】
上記半導体チップの上側の表面に取り付けられる、吊りリードを有する金属板を備え、
上記吊りリードは上記第３の配線と接続されていることを特徴とする請求項１に記載のソースドライバ。
【請求項７】
上記ソースドライバは、幅方向の両端に上記スプロケット部が位置する長尺テープ状の形態で作製された後、幅方向に切断されて個々に分離されていることを特徴とする請求項１に記載のソースドライバ。
【請求項８】
外部と接続可能な端子が複数設けられた半導体チップがフィルム基材の表面に実装され、上記半導体チップの端子のうち、電気信号を入力する端子と接続される第１の配線、および電気信号を出力する端子と接続される第２の配線が、上記フィルム基材の表面にそれぞれ形成されてなるフィルム実装型のソースドライバの製造方法において、
長尺テープ状のフィルム基材の表面に、上記半導体チップの端子と接続されない端部が一方の長尺方向に向かうような上記第１の配線、上記半導体チップの端子と接続されない端部が他方の長尺方向に向かうような上記第２の配線、該表面の幅方向の両端に位置する、連続した穴と該表面に金属部とが形成されてなるスプロケット部、並びに、上記半導体チップの端子のうち上記第１の配線および第２の配線に接続されない端子と上記スプロケット部の金属部とを接続する第３の配線を、同時に連続して形成する第１のステップと、
上記第１の配線および第２の配線に接続するように上記半導体チップを連続して実装する第２のステップと、
上記フィルム基材を幅方向に切断して、上記ソースドライバを個々に分離する第３のステップとを含むことを特徴とするソースドライバの製造方法。
【請求項９】
上記半導体チップには、吊りリードを有する金属板が一方の表面に取り付けられており、
上記第２のステップでは、上記半導体チップを、上記金属板が取り付けられている側が上側になるように実装した後、上記吊りリードを上記第３の配線に接続することを特徴とする請求項８に記載のソースドライバの製造方法。
【請求項１０】
液晶パネルと、
上記液晶パネルの４側辺のうち１側辺または対向する２側辺に複数設けられる請求項１〜７のいずれか１項に記載のソースドライバと、
上記液晶パネルの４側辺のうち、上記ソースドライバが設けられる側辺に対して垂直な側辺に複数設けられるゲートドライバと、
上記ソースドライバに接続される基板と、
上記ゲートドライバが設けられている側辺側の、上記ソースドライバが設けられている側辺の端に配置され、上記液晶パネルと上記基板とを接続する配線テープとを備えていることを特徴とする液晶モジュール。
【発明の詳細な説明】
【技術分野】
【０００１】
本発明は、フィルム実装型のソースドライバ、および、そのソースドライバを備える液晶モジュールに関するものである。
【背景技術】
【０００２】
液晶パネルなどに搭載される液晶ドライバには、絶縁フィルム上に配線パターンが形成され半導体チップが実装された形態であるＴＣＰ（Tape Carrier Package）やＣＯＦ（Chip on Film）などのパッケージが広く使用されている。液晶ドライバには、液晶パネル内の画素領域に構成されるトランジスタの、ソース電極に信号を供給するためのソースドライバ、およびゲート電極に信号を供給するためのゲートドライバがある。
【０００３】
図７は、従来の液晶モジュール５００の概略構成を示す図である。
【０００４】
従来の液晶モジュール５００は、図７に示すように、液晶パネル５０１、ゲートドライバ５０２、ソースドライバ５０３、および入力基板５０４を備えている。液晶パネル５０１には、４辺のうち１辺もしくは２辺にソースドライバ５０３が複数個設けられ、ソースドライバ５０３が設けられる辺に対して垂直な１辺もしくは２辺に、ゲートドライバ５０２が複数個設けられている。入力基板５０４は、ソースドライバ５０３における液晶パネル５０１側と対向する側に設けられている。
【０００５】
上記の構成において、入力基板５０４に形成された配線から駆動信号および電源が、ゲートドライバ５０２およびソースドライバ５０３に供給されることによって、液晶パネル５０１は駆動される。つまり、液晶モジュール５００では、ゲートドライバ５０２への駆動信号および電源は、入力基板５０４からソースドライバ５０３および液晶パネル５０１を介して供給されている（例えば、特許文献１参照。）。
【０００６】
図８に、従来のソースドライバ５０３の構成を示す。
【０００７】
従来のソースドライバ５０３は、半導体チップ５１４の入力端子への配線が形成されている入力端子配線領域５１１、半導体チップ５１４の出力端子への配線が形成されている出力端子配線領域５１２、および２つのスルー配線領域５１３の計４つの領域に区分される領域を有し、半導体チップ５１４が実装されている。
【０００８】
また、ソースドライバ５０３は、図９に示すような、連続した穴が加工されたスプロケット部５１５を両端に有する長尺テープの形態で一連の製造工程が行われ、終了後、ソースドライバ５０３となる部分が打ち抜きにより個片化されて作製される。スプロケット部５１５は、テープの送り出し／巻き取りなどの搬送用に用いられる部分である。長尺テープの形態のうち、ユーザが使用する領域はソースドライバ５０３となる部分のみで、スプロケット部５１５などの残存した部分は廃棄される。
【０００９】
ソースドライバ５０３は、図１０に示すように、出力端子配線領域５１２が液晶パネル５０１側になるように固着される。そして、入力端子配線領域５１１の配線が、半導体チップ５１４の入力端子と入力基板５０４の配線とを接続し、出力端子配線領域５１２の配線が、半導体チップ５１４の出力端子と液晶パネル５０１の配線とを接続する。
【００１０】
スルー配線領域５１３には、ゲートドライバ５０２への信号および電源を供給するための配線が形成されている。ゲートドライバ５０２は、入力基板５０４から、ソースドライバ５０３のスルー配線領域５１３を通って供給される（矢印Ｘ）信号により駆動される。つまり、ソースドライバ５０３のスルー配線領域５１３の機能は、ゲートドライバ５０２へ駆動信号および電源を供給することである。
【００１１】
なお、図７に示すように、１つの液晶パネル５０１に対しソースドライバ５０３は複数個設けられているにも拘らず、スルー配線領域５１３を機能として使用しているものは、液晶パネル５０１の両端に搭載されたソースドライバ５０３のみである。他のソースドライバ５０３のスルー配線領域５１３は使用されていない。例えば、図１０を参照すると、ソースドライバ５０３ａの左端側のスルー配線領域５１３は使用されているが、ソースドライバ５０３ａの右端側のスルー配線領域５１３およびソースドライバ５０３ｂのスルー配線領域５１３は使用されていない。
【００１２】
また、ソースドライバ５０３では、半導体チップ５１４から生じた熱は、チップ自身からの放熱に加え、入力端子配線領域５１１に形成された配線自身からの放熱および該配線を介して入力基板５０４側に逃がしたり、出力端子配線領域５１２に形成された配線自身からの放熱および該配線を介して液晶パネル５０１側に逃がしたりしている。
【特許文献１】特開２００２−１１６４５１号公報（平成１４年４月１９日公開）
【発明の開示】
【発明が解決しようとする課題】
【００１３】
しかしながら、近年、ＴＶの高機能化および多出力化に伴って、ソースドライバ５０３に実装されている半導体チップ５１４の発熱が増大し、半導体チップ５１４の発熱が以前に増して問題となっている。それゆえ、さらなる放熱対策を施したソースドライバが望まれている。
【００１４】
本発明は、上記従来の問題点に鑑みなされたものであって、その目的は、放熱量を増加させることができるソースドライバ、およびそのソースドライバを備える液晶モジュールを提供することにある。
【課題を解決するための手段】
【００１５】
本発明のソースドライバは、上記課題を解決するために、外部と接続可能な端子が複数設けられた半導体チップがフィルム基材の表面に実装され、上記半導体チップの端子のうち、電気信号を入力する端子と接続される第１の配線、および電気信号を出力する端子と接続される第２の配線が、上記フィルム基材の表面にそれぞれ形成されてなるフィルム実装型のソースドライバにおいて、上記フィルム基材の両端に、連続した穴と該フィルム基材の表面に金属部とが形成されてなるスプロケット部を有し、上記第１の配線は、上記半導体チップの端子と接続されない端部が、上記スプロケット部が設けられていない１端側に向かって形成され、かつ、上記第２の配線は、上記半導体チップの端子と接続されない端部が、上記第１の配線の端部が形成されている１端側と対向する１端側に向かって形成されており、上記半導体チップの端子のうち上記第１の配線および第２の配線に接続されない端子と、上記スプロケット部の金属部とを接続する第３の配線が、上記フィルム基材の表面に形成されていることを特徴としている。
【００１６】
上記の構成によれば、半導体チップの端子のうち第１の配線および第２の配線に接続されない端子と、スプロケット部の金属部とを接続する第３の配線が、フィルム基材の表面に形成されていることにより、半導体チップに生じた熱を、第３の配線自身から放熱したり、第３の配線を介してスプロケット部にも逃がすことが可能となる。よって、放熱量を増加させることが可能となる。
【００１７】
また、従来では、スプロケット部は、例えば、連続した穴にギアを噛ませて、製造工程におけるソースドライバを送り出したり巻き取ったりするために利用されるだけのものであり、ソースドライバを打ち抜いた後は廃棄されていた。さらに、ソースドライバには、液晶パネルに取り付けた際に、ゲートドライバへ駆動信号を供給するための配線が形成されていた。
【００１８】
これに対し、上記の構成によれば、スプロケット部の金属部を第３の配線と接続させて、スプロケット部を熱を逃がす部分として利用している。つまりは、スプロケット部を切り出さずにそのまま残している。このとき、従来形成されていた配線を形成せずに、スプロケット部を配線がなくなった分内側に形成させることが可能となる。これにより、ソースドライバの幅を小さくすることが可能となり、併せて材料のコストダウンを図ることも可能となる。または、スプロケット部を配線がなくなった分内側に形成させずに、第１の配線および第２の配線をラフピッチにすることも可能である。
【００１９】
本発明のソースドライバは、上記スプロケット部は、上記フィルム基材の表面に積層された、銅またはステンレス鋼からなる放熱体により形成されていることが好ましい。これにより、第３の配線自身からの放熱に加え、第３の配線を介して伝導してきた熱が、スプロケット部から効率良く放熱されるので、放熱量を増大させることが可能となる。
【００２０】
本発明のソースドライバは、上記第３の配線は、上記第１の配線のうち両端の第１の配線と上記第２の配線のうち両端の第２の配線とで挟まれる領域の全面にわたって、上記両端の第１の配線および両端の第２の配線と電気的に絶縁されるように形成されていることが好ましい。これにより、半導体チップに生じた熱の放熱面積および熱伝導面積が増えるので、放熱量を増大させることが可能となる。また、本発明のソースドライバは、上記スプロケット部の金属部と上記第３の配線は、一体形成されていることが望ましい。
【００２１】
本発明のソースドライバは、上記第１の配線のうち両端の第１の配線における上記半導体チップの端子に接続される部分の形成方向と、上記第２の配線のうち両端の第２の配線における上記半導体チップの端子に接続される部分の形成方向とは、略垂直であることが好ましい。
【００２２】
上記の構成によれば、両端の第１の配線と両端の第２の配線とで挟まれる領域を広くなるので、放熱パターンの形成により、半導体チップに生じた熱の逃げ口を広くすることが可能となる。よって、効率良く放熱させることが可能となる。
【００２３】
本発明のソースドライバは、上記半導体チップの上側の表面に取り付けられる、吊りリードを有する金属板を備え、上記吊りリードは上記第３の配線と接続されていることが好ましい。これにより、半導体チップの上側の表面からも熱を効率良く逃がすことが可能となる。よって、放熱量を増大させることが可能となる。
【００２４】
本発明のソースドライバは、幅方向の両端に上記スプロケット部が位置する長尺テープ状の形態で作製された後、幅方向に切断されて個々に分離されていることが好ましい。これにより、ソースドライバは幅方向に切断されて個々に分離されているのみであるため、個片化する金型が安価となる。
【００２５】
本発明のソースドライバの製造方法は、外部と接続可能な端子が複数設けられた半導体チップがフィルム基材の表面に実装され、上記半導体チップの端子のうち、電気信号を入力する端子と接続される第１の配線、および電気信号を出力する端子と接続される第２の配線が、上記フィルム基材の表面にそれぞれ形成されてなるフィルム実装型のソースドライバの製造方法において、長尺テープ状のフィルム基材の表面に、上記半導体チップの端子と接続されない端部が一方の長尺方向に向かうような上記第１の配線、上記半導体チップの端子と接続されない端部が他方の長尺方向に向かうような上記第２の配線、該表面の両端に位置する金属部、および、上記半導体チップの端子のうち上記第１の配線および第２の配線に接続されない端子と上記金属部とを接続する第３の配線を、同時に連続して形成する第１のステップと、上記第１の配線および第２の配線に接続するように上記半導体チップを連続して実装する第２のステップと、上記フィルム基材を幅方向に切断して、上記ソースドライバを個々に分離する第３のステップとを含むことを特徴としている。
【００２６】
上記の構成によれば、半導体チップの端子のうち第１の配線および第２の配線に接続されない端子と金属部とを接続する第３の配線を、フィルム基材の表面に形成することにより、半導体チップに生じた熱を、第３の配線自身から放熱したり、第３の配線を介して金属部にも逃がすことが可能となる。よって、放熱量を増加させることが可能となる。
【００２７】
また、従来では、フィルム基材の両端に位置する金属部が形成される部分は、例えば、スプロケット部として利用されていた。スプロケット部は、連続した穴にギアを噛ませて、製造工程におけるソースドライバを送り出したり巻き取ったりするために利用されるだけのものであり、ソースドライバを打ち抜いた後は廃棄されていた。さらに、ソースドライバには、液晶パネルに取り付けた際に、ゲートドライバへ駆動信号を供給するための配線が形成されていた。
【００２８】
これに対し、上記の構成によれば、フィルム基材に連続して形成されたソースドライバを、フィルム基材を幅方向に切断して個々に分離しているので、金属部を切り出さずにそのまま残している。そして、金属部を第３の配線と接続させて、熱を逃がす部分として利用している。よって、従来形成されていた配線を形成せずに、金属部を配線がなくなった分内側に形成することが可能となる。これにより、ソースドライバの幅を小さくすることが可能となり、併せて材料のコストダウンを図ることも可能となる。または、金属部を配線がなくなった分内側に形成させずに、第１の配線および第２の配線をラフピッチにすることも可能である。
【００２９】
本発明のソースドライバの製造方法は、上記半導体チップには、吊りリードを有する金属板が一方の表面に取り付けられており、上記第２のステップでは、上記半導体チップを、上記金属板が取り付けられている側が上側になるように実装した後、上記吊りリードを上記第３の配線に接続することが好ましい。これにより、半導体チップの上側の表面からも熱を効率良く逃がすことが可能となる。よって、放熱量を増大させることが可能となる。
【００３０】
本発明の液晶モジュールは、液晶パネルと、上記液晶パネルの４側辺のうち１側辺または対向する２側辺に複数設けられる上記ソースドライバと、上記液晶パネルの４側辺のうち、上記ソースドライバが設けられる側辺に対して垂直な側辺に複数設けられるゲートドライバと、上記ソースドライバに接続される基板と、上記ゲートドライバが設けられている側辺側の、上記ソースドライバが設けられている側辺の端に配置され、上記液晶パネルと上記基板とを接続する配線テープとを備えていることを特徴としている。
【００３１】
上記の構成によれば、ソースドライバの半導体チップに生じた熱を、第３の配線およびスプロケット部を介して、液晶パネルおよび入力基板に逃がすことが可能となる。よって、放熱性に優れた液晶モジュールを実現することが可能となる。
【００３２】
また、従来では、ソースドライバに形成された配線を介して、基板からの駆動信号をゲートドライバに供給していたが、上記の構成によれば、配線テープにより基板からの駆動信号をゲートドライバに供給することが可能となる。よって、ソースドライバに、ゲートドライバへ駆動信号を供給するための配線が形成されていなくとも影響は受けない。また、配線テープという部品数は増えているが、ソースドライバのコストダウン分などを合わせると、トータルとしてコストダウンが可能となる。
【発明の効果】
【００３３】
以上のように、本発明のソースドライバは、外部と接続可能な端子が複数設けられた半導体チップがフィルム基材の表面に実装され、上記半導体チップの端子のうち、電気信号を入力する端子と接続される第１の配線、および電気信号を出力する端子と接続される第２の配線が、上記フィルム基材の表面にそれぞれ形成されてなるフィルム実装型のソースドライバにおいて、上記フィルム基材の両端に、連続した穴と該フィルム基材の表面に金属部とが形成されてなるスプロケット部を有し、上記第１の配線は、上記半導体チップの端子と接続されない端部が、上記スプロケット部が設けられていない１端側に向かって形成され、かつ、上記第２の配線は、上記半導体チップの端子と接続されない端部が、上記第１の配線の端部が形成されている１端側と対向する１端側に向かって形成されており、上記半導体チップの端子のうち上記第１の配線および第２の配線に接続されない端子と、上記スプロケット部の金属部とを接続する第３の配線が、上記フィルム基材の表面に形成されている、という構成である。
【００３４】
それゆえ、半導体チップの端子のうち第１の配線および第２の配線に接続されない端子と、スプロケット部の金属部とを接続する第３の配線が、フィルム基材の表面に形成されていることにより、半導体チップに生じた熱を、第３の配線自身から放熱したり、第３の配線を介してスプロケット部にも逃がすことができる。よって、放熱量を増加させることができるソースドライバを実現するという効果を奏する。
【００３５】
また、スプロケット部の金属部を第３の配線と接続させて、スプロケット部を熱を逃がす部分として利用している。つまりは、従来廃棄されていたスプロケット部を切り出さずにそのまま残している。このとき、従来形成されていた配線を形成せずに、スプロケット部を配線がなくなった分内側に形成させることが可能となっている。これにより、ソースドライバの幅を小さくすることができ、併せて材料のコストダウンを図ることもできるという効果を奏する。または、スプロケット部を配線がなくなった分内側に形成させずに、第１の配線および第２の配線をラフピッチにすることもできる。
【００３６】
また、本発明のソースドライバの製造方法は、外部と接続可能な端子が複数設けられた半導体チップがフィルム基材の表面に実装され、上記半導体チップの端子のうち、電気信号を入力する端子と接続される第１の配線、および電気信号を出力する端子と接続される第２の配線が、上記フィルム基材の表面にそれぞれ形成されてなるフィルム実装型のソースドライバの製造方法において、長尺テープ状のフィルム基材の表面に、上記半導体チップの端子と接続されない端部が一方の長尺方向に向かうような上記第１の配線、上記半導体チップの端子と接続されない端部が他方の長尺方向に向かうような上記第２の配線、該表面の両端に位置する金属部、および、上記半導体チップの端子のうち上記第１の配線および第２の配線に接続されない端子と上記金属部とを接続する第３の配線を、同時に連続して形成する第１のステップと、上記第１の配線および第２の配線に接続するように上記半導体チップを連続して実装する第２のステップと、上記フィルム基材を幅方向に切断して、上記ソースドライバを個々に分離する第３のステップとを含む、という方法である。
【００３７】
それゆえ、半導体チップの端子のうち第１の配線および第２の配線に接続されない端子と金属部とを接続する第３の配線を、フィルム基材の表面に形成することにより、半導体チップに生じた熱を、第３の配線自身から放熱したり、第３の配線を介して金属部にも逃がすことができる。よって、放熱量を増加させることができるソースドライバを実現するという効果を奏する。
【００３８】
また、フィルム基材に連続して形成されたソースドライバを、フィルム基材を幅方向に切断して個々に分離しているので、例えばスプロケット部として利用される金属部を切り出さずにそのまま残している。そして、金属部を第３の配線と接続させて、熱を逃がす部分として利用している。よって、従来形成されていた配線を形成せずに、金属部を配線がなくなった分内側に形成することができる。これにより、ソースドライバの幅を小さくすることができ、併せて材料のコストダウンを図ることもできるという効果を奏する。または、金属部を配線がなくなった分内側に形成させずに、第１の配線および第２の配線をラフピッチにすることもできる。
【００３９】
本発明の液晶モジュールは、液晶パネルと、上記液晶パネルの４側辺のうち１側辺または対向する２側辺に複数設けられる上記ソースドライバと、上記液晶パネルの４側辺のうち、上記ソースドライバが設けられる側辺に対して垂直な側辺に複数設けられるゲートドライバと、上記ソースドライバに接続される基板と、上記ゲートドライバが設けられている側辺側の、上記ソースドライバが設けられている側辺の端に配置され、上記液晶パネルと上記基板とを接続する配線テープとを備えている、という構成である。
【００４０】
それゆえ、ソースドライバの半導体チップに生じた熱を、第３の配線およびスプロケット部を介して、液晶パネルおよび入力基板に逃がすことができる。よって、放熱性に優れた液晶モジュールを実現することができるという効果を奏する。
【００４１】
また、従来では、ソースドライバに形成された配線を介して、基板からの駆動信号をゲートドライバに供給していたが、本発明によれば、配線テープにより基板からの駆動信号をゲートドライバに供給することができる。よって、ソースドライバに、ゲートドライバへ駆動信号を供給するための配線が形成されていなくとも影響は受けない。また、配線テープという部品数は増えているが、ソースドライバのコストダウン分などを合わせると、トータルとしてコストダウンを図ることができる。
【発明を実施するための最良の形態】
【００４２】
〔実施の形態１〕
（ソースドライバの構成）
本発明の一実施形態について図面に基づいて説明すれば、以下の通りである。
【００４３】
図１は、本実施の形態のソースドライバ１００の一構成例を示す図である。
【００４４】
本実施の形態のソースドライバ１００は、図１に示すように、ベースとなるフィルム基材１０７上に、入力端子配線領域１０１、出力端子配線領域１０２、および２つの熱伝導パターン１０４（第３の配線）が形成されるとともに、半導体チップ１０５が実装されており、フィルム基材１０７の両端に２つのスプロケット部１０３を有している。つまり、ソースドライバ１００はフィルム実装型の半導体装置である。
【００４５】
入力端子配線領域１０１は、半導体チップ１０５の入力端子に接続される配線（第１の配線）（図示せず）が形成されている領域である。入力端子配線領域１０１は、半導体チップ１０５の実装面に垂直な方向から見たとき、半導体チップ１０５の４側面のうち１側面から、スプロケット部１０３が設けられていない端辺（図中上側）に向かって広がるような形状となっている。
【００４６】
出力端子配線領域１０２は、半導体チップ１０５の出力端子に接続される配線（第２の配線）（図示せず）が形成されている領域である。出力端子配線領域１０２は、半導体チップ１０５の実装面に垂直な方向から見たとき、半導体チップ１０５の４側面のうち入力端子配線領域１０１が設けられている箇所以外の箇所から、スプロケット部１０３が設けられていない端辺（図中下側）に向かって広がるような形状となっている。
【００４７】
スプロケット部１０３は、ソースドライバ１００の両端に設けられている。スプロケット部１０３は、ソースドライバ１００が個片化される前の長尺テープの形態のときに、連続して設けられた穴１０６にギアを噛ませて、テープを送り出したり巻き上げたりするための搬送に使用される部分である。この動作は、例えば、配線を形成する工程、半導体チップやその他チップコンデンサなどを実装するアセンブリ工程、および、ソースドライバを分離する工程などで行われる。スプロケット部１０３は、上記動作に耐えうる強度を確保するために、フィルム基材１０７上に銅箔（金属部）が形成されている。
【００４８】
熱伝導パターン１０４は、半導体チップ１０５の突起端子と、スプロケット部１０３の銅箔とを接続するように形成された配線である。熱伝導パターン１０４は、入力端子配線領域１０１と出力端子配線領域１０２との間を、両領域と絶縁されながら形成されている。
【００４９】
半導体チップ１０５は、実装面に、外部と接続可能な複数の突起端子（金属バンプ）が形成されている。この突起端子は、金などの金属からなり、信号を入出力するための入力端子および出力端子と、信号の入出力を行わない熱を逃がすためだけの物理的な端子とがある。この端子のうち、入力端子が入力端子配線領域１０１の配線に接続され、出力端子が出力端子配線領域１０２の配線に接続される。そして、上記物理的な端子が熱伝導パターン１０４に接続される。なお、半導体チップ１０５は、例えば、７２０本程度の出力を有している。
【００５０】
上記の構成を有するソースドライバ１００では、半導体チップ１０５から生じた熱は、チップ自身からの放熱に加え、入力端子配線領域１０１に形成された配線自身からの放熱および該配線から逃がしたり、出力端子配線領域１０２に形成された配線自身からの放熱および該配線から逃がしたりするとともに、さらに、熱伝導パターン１０４自身からの放熱、および、熱伝導パターン１０４を介して、スプロケット部１０３から逃がすことが可能となっている。よって、放熱量を増加させることが可能となる。
【００５１】
また、従来のソースドライバ５０３では、スプロケット部５１５は搬送用として利用されるだけのものであり、ソースドライバ５０３を打ち抜いた後は廃棄されていた。そして、ゲートドライバへの駆動信号供給用の配線を設けるために、液晶パネルの両端側に配置されたソースドライバ５０３のものしか使用されない、スルー配線領域５１３を形成していた。
【００５２】
これに対し、本実施の形態のソースドライバ１００では、切り出さずにそのまま残しているスプロケット部１０３の銅箔を、熱伝導パターン１０４と接続させて熱を逃がす部分として利用している。そして、従来のソースドライバ５０３に形成されていたスルー配線領域５１３を形成せずに、搬送用として利用されるスプロケット部１０３をスルー配線領域５１３がなくなった分内側に形成している。これにより、ソースドライバ１００の幅を小さくすることが可能となり、併せて材料のコストダウンを図ることも可能となる。例えば、従来のソースドライバ５０３の幅は４８ｍｍであったが、本実施の形態のソースドライバ１００の幅は３５ｍｍとなる。
【００５３】
なお、スルー配線領域５１３を形成しない分、逆に、幅を維持したままで、入力端子配線領域１０１および出力端子配線領域１０２を広くとって、配線をラフピッチにすることも可能である。
【００５４】
また、入力端子配線領域１０１および出力端子配線領域１０２として必要な領域は、半導体チップ１０５が実装される位置、および半導体チップ１０５の突起端子のレイアウト（バンプレイアウト）により決まってくる。これにより、半導体チップ１０５のバンプレイアウトを突起端子の数を維持したまま整理することにより、入力端子配線領域１０１と出力端子配線領域１０２との間の領域を広くして、熱伝導パターン１０４をできる限り大きく確保することが放熱性の面から望ましい。これにより、半導体チップ１０５に生じた熱の放熱面積および熱伝導面積が増えるので、放熱量を増大させることが可能となる。
【００５５】
図２に、半導体チップ１０５の出力端子側のバンプレイアウトを整理したときの、ソースドライバ１１０の一構成例を示す。
【００５６】
図２に示すソースドライバ１１０は、図１に示したソースドライバ１００と比べて、出力端子配線領域１１２が半導体チップ１０５の４側面のうち３側面から広がるように形成されている。詳細には、入力端子配線領域１０１の両端の配線が半導体チップ１０５に入射する方向（入力端子配線領域１０１の両端の配線が半導体チップ１０５の入力端子に接続される部分の形成方向）と、出力端子配線領域１１２の両端の配線が半導体チップ１０５に入射する方向（出力端子配線領域１１２の両端の配線が半導体チップ１０５の出力端子に接続される部分の形成方向）とが、略垂直となっている。
【００５７】
また、熱伝導パターン１１４が、入力端子配線領域１０１と出力端子配線領域１１２との間を、両領域と絶縁されながらできる限り太く形成されている。これにより、半導体チップ１０５に生じた熱の逃げ口が広くなるので、熱伝導パターン１１４を介して熱を逃げ易くすることが可能となる。よって、効率良く放熱させることが可能となる。なお、熱伝導パターン１１４とスプロケット部１０３の銅箔とを一体化して形成してもよい。
【００５８】
（ソースドライバの製造方法）
次に、本実施の形態のソースドライバ１００の製造方法について説明する。
【００５９】
図３（ａ）〜（ｅ）は、本実施の形態のソースドライバ１００の製造フローを示す図である。なお、ソースドライバ１００はリールｔｏリール方式により製造される。
【００６０】
まず、図３（ａ）に示すように、ソースドライバ１００の土台となる、長尺テープ状のフィルム基材１０７を準備する。そして、フィルム基材１０７の幅方向の両端に、長尺方向に連続して配置する穴１０６を形成する。なお、フィルム基材１０７は、ポリイミドなどの有機樹脂材料からなる絶縁性のものである。
【００６１】
続いて、図３（ｂ）に示すように、入力端子配線領域１０１の配線、出力端子配線領域１０２の配線、スプロケット部１０３の銅箔、および、熱伝導パターン１０４を形成する。詳細には、フィルム基材１０７の一方の表面に、銅メッキを施した後、レジスト、露光、現像工程を実施し、エッチングにて各部分をパターンニングする。そして、残った銅の上に錫メッキを施すことによって、各部分を形成する。これにより、各部分を一度で同時に形成することが可能となる。また、これらの形成部分は、ソースドライバ１００として形成するパターン毎に、長尺方向に繰り返し（連続して）形成する。
【００６２】
なお、入力端子配線領域１０１の配線および出力端子配線領域１０２の配線は、半導体チップ１０５と接続されない側の端部が、互いに逆の長尺方向に向かって位置するように形成する。また、入力端子配線領域１０１の配線、出力端子配線領域１０２の配線、および熱伝導パターン１０４には、ユーザが接合部分として使用するアウターリードおよび半導体チップを実装するインナーリード以外の部分をソルダレジストで被覆する。
【００６３】
続いて、図３（ｃ）に示すように、半導体チップ１０５をパターン毎に連続して実装する。詳細には、フィルム基材１０７上において、半導体チップ１０５の突起端子と錫メッキされた配線とを熱と圧力よって圧着し、金と錫とに共晶を作らせることにより接合する。これにより、半導体チップ１０５が、フィルム基材１０７上に固着される。一般的に、この半導体素子を接合する工程は、インナーリードボンディング（ＩＬＢ：Inner Lead Bonding）と呼ばれている。ＩＬＢ後は、半導体チップとテープ基材の隙間に、無溶剤タイプのエポキシ樹脂であるアンダーフィル材を充填した後、キュアを行いアンダーフィル樹脂を硬化させる。
【００６４】
続いて、図３（ｄ）に示すように、切断面Ｐに沿って、フィルム基材１０７を一直線に切断する。切断面Ｐは、連続して形成されたソースドライバに影響を与えず切断するように、フィルム基材１０７の幅方向に設定されている。これにより、図３（ｅ）に示すように、個片化されたソースドライバ１００が作製され得る。ソースドライバ１００は略長方形の形状をなす。
【００６５】
従来では、図９に示したように、ソースドライバ５０３は、金型によって打ち抜かれ個片化されていたが、本実施の形態のソースドライバ１００は、金型による打ち抜きではなく一直線に切断されて個片化されている。これにより、ソースドライバ１００は一定の方向に切断されるだけで作製されているので、安価な個片化金型を使用することができる。また、ソースドライバ１００には、従来では廃棄されていたスプロケット部１０３が製品に残っているが、スプロケット部１０３を放熱部として利用している。
【００６６】
また、上記では、入力端子配線領域１０１の配線、出力端子配線領域１０２の配線、スプロケット部１０３の銅箔、および、熱伝導パターン１０４を一度に同時に形成したが、スプロケット部１０３の銅箔を別に形成してもよい。つまりは、入力端子配線領域１０１の配線、出力端子配線領域１０２の配線、および、熱伝導パターン１０４の形成前または形成後に、フィルム基材１０７の表面にステンレス鋼（ＳＵＳ）などの金属を積層することにより、スプロケット部１０３を放熱体とする。これにより、熱伝導パターン１０４を介して伝導してきた熱が、スプロケット部１０３から効率良く放熱されるので、放熱量を増大させることが可能となる。
【００６７】
なお、これにより作製するソースドライバ１００は、ＴＣＰ、ＣＯＦ、およびＳＯＦ（System on Film）の何れにも適用することが可能である。
【００６８】
また、上述したソースドライバ１００の製造方法では、図３（ａ）から図３（ｂ）に示したように、フィルム基材１０７に穴１０６を加工した後、入力端子配線領域１０１の配線、出力端子配線領域１０２の配線、スプロケット部１０３の銅箔、および、熱伝導パターン１０４をパターン形成しているが、これに限るものではない。つまり、入力端子配線領域１０１の配線、出力端子配線領域１０２の配線、スプロケット部１０３の銅箔、および、熱伝導パターン１０４をパターン形成した後に、穴１０６を加工してもよい。
【００６９】
〔実施の形態２〕
本発明の他の実施の形態について図面に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００７０】
図４は、本実施の形態のソースドライバ２００の一構成例を示す側面断面図である。
【００７１】
本実施の形態のソースドライバ２００は、前記実施の形態１のソースドライバ１００の構成に加えて、図４に示すように、半導体チップ１０５の上側の表面に接着材２０３により貼付された、吊りリード２０２を有する放熱体２０１を備えている。
【００７２】
放熱体２０１は、板状の金属板（ヒートスプレッダー）であり、価格および熱伝導性に応じて様々な種類の金属から決定することができる。放熱体２０１のサイズは、半導体チップ１０５のサイズに応じて自由に選択することが可能であり、放熱体２０１の高さ（厚み）は、半導体チップ１０５の厚みや、全体的な高さの制限、放熱効率の適正化に応じて決定される。
【００７３】
また、放熱体２０１には、吊りリード２０２が少なくとも２本、側面からぶら下がるように形成されている。吊りリード２０２は、熱伝導パターン１０４と半田２０４により接続される。また、吊りリード２０２は、金属からなり、放熱体２０１と一体成型することにより形成してもよい。なお、吊りリード２０２を有する放熱体２０１として、従来のモールドパッケージに使用されているリードフレームを使用することもできる。これにより、安価な製品を提供することが可能となる。
【００７４】
従来、半導体チップ１０５自身からの大気中への放熱量は、乾燥大気の熱伝導率が非常に低いため十分な量ではなかった。これに対し、ソースドライバ２００では、放熱体２０１が取り付けられていることにより、半導体チップ１０５に生じた熱が、放熱体２０１から大気中に逃げる経路が形成される。さらには、吊りリード２０２により放熱体２０１と熱伝導パターン１０４とが接続されていることによって、半導体チップ１０５に生じた熱が、放熱体２０１から吊りリード２０２および熱伝導パターン１０４を介してスプロケット部１０３に逃げる経路が形成される。
【００７５】
これにより、半導体チップ１０５の電気的動作による発熱を、半導体チップ１０５の露出面（半導体チップ１０５の実装面に形成された突起端子とは反対側の表面）からも効率良く放熱させ、放熱量を増大することが可能となる。
【００７６】
また、半導体チップ１０５は、接着材２０３を介して放熱体２０１に予め取り付けておけばよい。そして、放熱体２０１付き半導体チップ１０５をフィルム基材１０７にＩＬＢする。これにより、製造過程での煩雑さを解消することが可能である。
【００７７】
〔実施の形態３〕
本発明の他の実施の形態について図面に基づいて説明すれば、以下の通りである。なお、本実施の形態において説明すること以外の構成は、前記実施の形態１，２と同じである。また、説明の便宜上、前記の実施の形態１，２の図面に示した部材と同一の機能を有する部材については、同一の符号を付し、その説明を省略する。
【００７８】
図５は、本実施の形態の液晶モジュール３００の一構成例を示す図である。
【００７９】
本実施の形態の液晶モジュール３００は、図５に示すように、液晶パネル３０１、ゲートドライバ３０２、配線テープ３０３、入力基板３０４、および前記実施の形態１のソースドライバ１００を備えている。液晶パネル３０１には、４辺のうち１辺にソースドライバ１００が１０個設けられ、ソースドライバ１００が設けられる辺に対して垂直な２辺に、ゲートドライバ３０２が３個それぞれ設けられている。入力基板３０４は、ソースドライバ１００の液晶パネル３０１側と対向する側に設けられている。また、入力基板３０４は、図示しない制御部などから信号出力が制御されている。
【００８０】
ソースドライバ１００は、図６に示すように、入力端子配線領域１０１が設けられている側の側辺が入力基板３０４に圧着され、出力端子配線領域１０２が設けられている側の側辺が液晶パネル３０１に圧着される。また、ゲートドライバ３０２は、出力側が液晶パネル３０１に圧着される。なお、ソースドライバ１００およびゲートドライバ３０２の数は、上記に限るものではなく、液晶パネル３０１の走査線の数およびドライバの出力数に応じて好適に決めればよい。
【００８１】
配線テープ３０３は、ゲートドライバ３０２へ駆動信号を供給するための配線が形成されたフィルム状のテープである。配線テープ３０３は、一方の端辺が液晶パネル３０１に圧着され、対向するもう一方の端辺が入力基板３０４に圧着される。
【００８２】
上記の構成において、入力基板３０４に形成された配線から駆動信号および電源が、ゲートドライバ３０２およびソースドライバ１００に供給されることによって、液晶パネル３０１は駆動される。つまりは、液晶モジュール３００では、図６に示すように、ゲートドライバ３０２への駆動信号および電源は、入力基板３０４から配線テープ３０３および液晶パネル３０１を介して供給されている（矢印Ｙ）。
【００８３】
よって、従来では、図１０に示したように、ソースドライバ５０３のスルー配線領域５１３に形成された配線を介して、入力基板５０４からの駆動信号および電源をゲートドライバ５０２に供給していたが、本実施の形態の液晶モジュール３００では、図６に示すように、配線テープ３０３により、入力基板３０４からの駆動信号および電源をゲートドライバ３０２に供給することが可能となる。これにより、従来ではスルー配線領域５１３の形状によっては、配線が部分的に狭ピッチになることがあったが、本実施例の配線テープ３０３を用いれば、ピッチが等間隔の簡単な配線を形成することが可能となる。
【００８４】
したがって、ソースドライバ１００に、ゲートドライバ３０２へ駆動信号を供給するための配線が形成されていなくとも影響は受けない。むしろ、ソースドライバ１００の幅が小さくなることによって、液晶パネル３０１の側辺における配置領域が空くので、従来と同じサイズの液晶パネル３０１、かつ同じ個数のソースドライバ１００であっても、配線テープ３０３を配置することが可能となる。それゆえ、配線テープ３０３という部品数は増えているが、ソースドライバ１００のコストダウン分などを合わせると、トータルとしてコストダウンが可能となっている。
【００８５】
また、ソースドライバ１００の半導体チップ１０５から生じた熱を、従来と同様の経路に加え、本実施例ではさらに、熱伝導パターン１０４およびスプロケット部１０３を介して、液晶パネル３０１および入力基板３０４に逃がすことが可能となる。よって、放熱性に優れた液晶モジュールを実現することが可能となる。
【００８６】
なお、上記では、液晶モジュール３００にソースドライバ１００を備える場合について説明したが、これに限らず、ソースドライバ１１０およびソースドライバ２００を備えてもよい。この場合、液晶モジュール３００の放熱性をさらに向上することが可能となる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８８】
本発明は、放熱量の向上が望まれるフィルム実装型のソースドライバに関する分野に好適に用いることができるだけでなく、ソースドライバの製造に関する分野に好適に用いることができ、さらには、ソースドライバを備える液晶モジュールの分野にも広く用いることができる。
【図面の簡単な説明】
【００８９】
【図１】本発明におけるソースドライバの実施の一形態を示す平面図である。
【図２】本発明におけるソースドライバの他の実施の形態を示す平面図である。
【図３】本発明のソースドライバの一実施例における製造工程を示す図である。
【図４】本発明におけるソースドライバのさらに他の実施の形態を示す平面図である。
【図５】本発明における液晶モジュールの実施の一形態を示す平面図である。
【図６】上記液晶モジュールにおける角部の拡大図である。
【図７】従来の液晶モジュールの構成を示す平面図である。
【図８】従来のソースドライバの構成を示す平面図である。
【図９】上記従来のソースドライバの作製方法を示す図である。
【図１０】上記従来の液晶モジュールの角部の拡大図である。
【符号の説明】
【００９０】
１００，１１０，２００  ソースドライバ
１０１  入力端子配線領域（第１の配線）
１０２，１１２  出力端子配線領域（第２の配線）
１０３  スプロケット部
１０４，１１４  熱伝導パターン（第３の配線）
１０５  半導体チップ
１０６  穴
１０７  フィルム基材
２０１  放熱体（金属板）
２０２  吊りリード
３００  液晶モジュール
３０１  液晶パネル
３０２  ゲートドライバ
３０３  配線テープ
３０４  入力基板（基板）
【図１】
0004344766.tif 000002
【図２】
0004344766.tif 000003
【図３】
0004344766.tif 000004
【図４】
0004344766.tif 000005
【図５】
0004344766.tif 000006
【図６】
0004344766.tif 000007
【図７】
0004344766.tif 000008
【図８】
0004344766.tif 000009
【図９】
0004344766.tif 000010
【図１０】
0004344766.tif 000011